(57)【要約】  頂縁、底縁、ならびに第１側縁および第２側縁を有するシートと、上記シートの頂縁に結合されたストラップとを含み、複数のＤ形リングが別のストラップを用いて上記シートの頂縁に結合され、上記シートの頂縁に芯が縫合されてなる、授乳カバーが記載される。上記芯は、上記芯の第１端に配置された第１エンドキャップおよび上記芯の第２端に配置された第２エンドキャップを有し、上記芯は、着用時に外向きに湾曲して観察領域を提供する。【選択図】  図３
2009545679.tif 000002
【特許請求の範囲】
【請求項１】
カバーであって、
頂縁、底縁、ならびに第１側縁および第２側縁を有するシートであって、前記シートの前記頂縁にストラップが結合され、かつ別のストラップを用いて前記シートの前記頂縁に複数のＤ形リングが結合されてなる前記シートと、
前記シートの前記頂縁内に縫合された芯であって、前記芯の第１端に配置された第１エンドキャップおよび前記芯の第２端に配置された第２エンドキャップを有し、着用時に観察領域を提供するように外向きに湾曲する前記芯と、
を含むカバー。
【請求項２】
前記芯が天然素材を用いて形成される、請求項１に記載のカバー。
【請求項３】
前記芯が合成材料を用いて形成される、請求項１に記載のカバー。
【請求項４】
前記芯が０より大きい曲率半径を有する、請求項１に記載のカバー。
【請求項５】
着用時に、前記芯が前記シートの面から外向きに湾曲する、請求項１に記載のカバー。
【請求項６】
前記芯が前記シートのポケット内に配置され、前記ポケットが前記頂縁に沿って配置される、請求項１に記載のカバー。
【請求項７】
前記第１エンドキャップおよび前記第２エンドキャップが平滑な外面を有する、請求項１に記載のカバー。
【請求項８】
前記第１エンドキャップおよび前記第２エンドキャップが、前記芯の前記第１端および前記第２端上に非摩耗性外面を提供する、請求項１に記載のカバー。
【請求項９】
授乳カバーであって、
複数の縁を有するシートであって、第１ストラップの基端が前記複数の縁の１つの縁に縫合され、かつ第２ストラップの別の基端が前記１つの縁に縫合され、着用時に前記第１ストラップの末端および前記第２ストラップの別の末端が、一体に結合されるように構成されてなる前記シートと、
前記１つの縁内に縫合されたポケット内に配置され、前記１つの縁を補強し、かつ授乳カバーに湾曲形状を提供する芯であって、前記芯の各端にエンドキャップが配置され、前記エンドキャップが前記芯と前記ポケットの内面との間の摩耗を最小化するように構成された前記芯と、
を含む授乳カバー。
【請求項１０】
前記シートの表面に沿ってポケットが配置された、請求項９に記載の授乳カバー。
【請求項１１】
前記シートの縁に沿ってポケットが配置された、請求項９に記載の授乳カバー。
【請求項１２】
前記カバーに湾曲形状を提供する前記芯がさらに、前記シートの面から外向きの湾曲をもたらす、請求項９に記載の授乳カバー。
【請求項１３】
授乳カバーであって、
頂縁、底縁、ならびに第１側縁および第２側縁を有する覆布であって、前記覆布の前記頂縁に第１ストラップおよび第２ストラップが結合され、前記覆布の着用時に前記第１ストラップおよび前記第２ストラップが一体に結合されてなる前記覆布と、
前記シートの前記頂縁の近くに配置された略水平ポケット内に配置された芯であって、前記芯の第１端に配置された第１エンドキャップおよび前記芯の第２端に配置された第２エンドキャップを有し、前記覆布の着用時に着用者と前記覆布との間に間隙が提供されるように外向きに湾曲する前記芯と、
を含む授乳カバー。
【請求項１４】
前記第１ストラップおよび前記第２ストラップがＤ形リングを用いて一体に結合される、請求項１３に記載の授乳カバー。
【請求項１５】
前記第１エンドキャップおよび前記第２エンドキャップが前記芯の前記第１端および前記第２端にそれぞれ形成される、請求項１３に記載の授乳カバー。
【発明の詳細な説明】
【発明の分野】
【０００１】
[0001]本発明は衣料品に関し、さらに詳しくは授乳カバーに関する。
【背景】
【０００２】
[0002]新生児はしばしば母親の母乳で育てられ、それは母親とその乳児との間の親密かつ個人的なきずなを作る経験であり得る。母乳の授乳中に、母親は一般的に自分の胴体の上部を露出し、公共の場または通行の多い場所にいる場合、それは彼女を居心地悪く感じさせることがある。授乳する母親の露出部分（例えば胴体上部、胸部等）を覆うための従来の解決策は幾つかの限界を有し、しばしば嵩張り、不快であり、危険であり、または取り扱いにくい。
【０００３】
[0003]一部の従来の解決策では、大きいタオルまたは小さいシートが使用され、それらは嵩張り、一般的に重い非透湿性素材から作られる。これらのタイプの素材はしばしば、着用するには暖かすぎ、母親および乳児の体温が上昇し、結果的に授乳がしにくく、または心地悪く感じるようになる。さらに、重く、嵩張り、または非透湿性の素材はまた、窒息の危険性を引き起こし、または授乳する乳児の過熱の原因になるかもしれない。
【０００４】
[0004]従来の授乳カバーはまた、着用しにくく、または着用したときに固定しにくいので、問題がある。授乳する新生児を覆うようにカバー、覆布（ラップ；ｗｒａｐ）、またはシートを母親の肩にまとい、または掛けると、乳児の可視性がしばしば遮断される。さらに、乳児の動きは、カバー、覆布、またはシートを所定の位置に滑り込ませるか、または完全に離落させることがある。従来の技術では、母親とその新生児との間の可視性が不明瞭になり、授乳中に母親が新生児を観察または監視することを妨げる。位置決め、掛止、および他のファクタが、従来のカバー、覆布、およびシートによって妨げられるか、または悪影響を受けることがあり得る。さらに、母親が、従来のカバー、覆布、またはシートを所定の位置に固定しかつ維持しながら、これらの要素を管理する能力は、物理的に制限される。
【０００５】
[0005]かくして、必要とされるものは、従来の技術の制限なしに授乳中に乳児を覆うための解決策である。
【０００６】
[0006]本発明は、添付の図面と共に以下の詳細な説明から容易に理解されるであろう。図中、同様の符号は同様の構造要素を示す。
【詳細な説明】
【０００７】
[0014]本発明の実施形態または実施例は、装置、システム、またはプロセスとして実現することを含め、多くのやり方で実現することができる。１つまたはそれ以上の実施例の詳細な説明を、添付の図面と共に下に提供する。詳細な説明は、そのような実施例に関連して提供するが、いずれの特定の実施例にも限定されない。範囲は特許請求の範囲によって限定されるが、多数の代替物、変形例、および均等物が含まれる。完全な理解をもたらすために、多数の特定の詳細を以下の説明で記載する。これらの詳細は実施例として提供するものであり、提供する説明は、これらの特定の詳細の一部または全部を使用することなく、特許請求の範囲に従って実現するために使用することができる。分かり易くするために、実施例に関係する技術分野で公知の技術的材料は、説明を不必要に曖昧にすることを回避するために、詳細には記述しない。
【０００８】
[0015]可視性を妨げることなく位置固定を可能にする、縁に縫付または縫合された（「縫合された」）芯を有するカバー、覆布（ラップ；ｗｒａｐ）、またはシート（「シート」）を含む授乳カバーが記載される。さらに、芯の各端に設けられたエンドキャップは、芯と芯が中に配置された縫合ポケットとの間の摩耗を回避するように保護強化をもたらす。着用したときに、授乳カバーは、母親が乳児を観察または監視するための窓を提供する一方で、授乳する乳児、および母親の露出した胴体を覆う。より詳細に下述する授乳カバーは、日光、風、雨等のような他の環境因子から乳児を保護もできる。一部の実施例では、下述する授乳カバーは、授乳していないが、代わりにＢａｂｙ  Ｂｊｏｒｎ（登録商標）等のようなおんぶ紐または揺りかご内で運搬される乳児を遮蔽するために使用することもできる。換言すると、下で種々の実施例で記載する授乳カバーは、母親およびその子供を種々のタイプの自然および人工環境因子および状態から保護するために使用することができる。提示する実施例の種々の代替的実現および変形を使用することができ、本書に提示する説明、寸法、または他の例示的詳細に限定されない。
【０００９】
[0016]図１は例示的な授乳カバーの正面図を示す。ここで、授乳カバー１００はシート１０１、ストラップ１０２、Ｄ形リングストラップ１０４、上部頂縁ステッチ１０６、下部頂縁ステッチ１０８、左縁ステッチ１１０、右縁ステッチ１１２、底縁ステッチ１１４、およびポケットステッチ１１６〜１２０を含む。ストラップ１０２はさらに側部ステッチ１２２〜１２４およびテーパ縁１２６を含む。Ｄ形リングストラップ１０４もまた側部ステッチ１２８〜１３０および１つまたはそれ以上のＤ形リング１３２を含む。一部の実施例では、Ｄ形リングストラップ１０４は、ストラップ１０２を固定するために使用される１つまたはそれ以上のＤ形リング１３２により実現することができる。ストラップ１０２は、Ｄ形リングストラップ１０４に直接または間接に繋着、滑合、縛結、または他の方法で結合することによって固定することができる。他の実施例では、Ｄ形リングストラップ１０４は、Ｏ形リング、Ｈ形ブラケット等を含め、他のタイプの固定リングまたはブラケットにより実現することができる。授乳カバー１００はまた、芯ポケット１３４およびポケットステッチ１３６〜１３８をも含む。ポケット１３４は、図４Ａ〜４Ｃに関連して下で詳述する芯を保持するために使用される。
【００１０】
[0017]再び図１を参照すると、芯は、芯ポケット１３４内に配置されたときに授乳カバー１００の着用者から外向きに延びる、ある長さの材料とすることができる。芯は、シート１０１の頂縁から「外向きに湾曲する」、可撓性であるが半剛性のストリップまたはある長さの材料とすることができる。湾曲したときに、芯はシート１０１の頂縁を着用者から遠ざけて保持し、かくして着用者と下にいる乳児との間の可視性を維持するための開口またはアパーチャが提供される。芯は、木材、プラスチック、ナイロン、金属、複合材料、またはその他を含め、天然または合成材料から作ることができる。さらに、芯は、静止位置に固定されたときに、シート１０１の頂縁がシート１０１の面から遠ざかる方向に延びることを可能にする曲率半径に形成される。換言すると、芯は、曲率を達成するために力または圧力を加える必要無く、持続する湾曲形状を提供する材料記憶を持つことができる。
【００１１】
[0018]一部の実施例では、シート１０１は、綿、羊毛、絹、デニム、ポリエステル、ナイロン、および種々のタイプの混紡を含め、天然または合成繊維から作られた任意のタイプの布（ファブリック；ｆａｂｒｉｃ）を用いて実現することができる。さらに、シルクスクリーニング、刺繍法、またはパターンもしくはデザインを布の織りに取り込むなど、任意のタイプの技術を用いて、種々のタイプのデザインをシート１０１に配することができる。他のタイプの布およびデザインを使用することができ、授乳カバー１００は提示する実施例に限定されない。シート１０１に使用される材料のタイプに関係なく、授乳カバー１００は、乳児および母親の親密かつ人目につかない授乳経験をもたらすべく、授乳する母親の胴体上部を覆うように配置することができる。さらに、芯ポケット１３４内に配置され、かつポケットステッチ１３６〜１３８によって境界を定められる芯は、縦軸線１４０に略直角の平面上で授乳カバー１００から外向きに突出する完全または部分的半球形支持体を提供するために使用することができる。換言すると、母親が授乳カバー１００を立位に着用する場合、芯ポケット１３４内の芯（図示せず）は、頂縁の中心位置を外向きに、母親から遠ざかる方向に延出させることができる。母親の胴体上部は覆われた状態に維持され、授乳中の乳児は外部から見えないように遮蔽され、シート１０１は授乳中に望ましくない人目からの不透明な保護を達成する。授乳カバー１００は、上述とは異なる方法で実現することができ、提示する実施例に限定されない。
【００１２】
[0019]図２Ａは例示的な授乳カバーの背面図を示す。ここで、授乳カバー２００もまた、シート１０１、ストラップ１０２、Ｄ形リングストラップ１０４、上部頂縁ステッチ１０６、下部頂縁ステッチ１０８、左縁ステッチ１１０、右縁ステッチ１１２、底縁ステッチ１１４、およびポケットステッチ１１６〜１２０を含む。ストラップ１０２はさらに、側部ステッチ１２２〜１２４およびテーパ縁１２６を含む。Ｄ形リングストラップ１０４もまた側部ステッチ１２８〜１３０および１つまたはそれ以上のＤ形リング１３２を含む。ポケットステッチ１３６〜１３８ならびに上部頂縁ステッチ１０６および下部頂縁ステッチ１０８によって境界を定められる芯ポケット１３４も設けられる。ポケットは、シート１０１の隅部に縫合することのできるポケット布２０２を用いることによって、設けることができる。ポケット布２０２は、右縁ステッチ１１２および底縁ステッチ１１４によって所定の位置に縫合することができる。右縁ステッチ１１２から底縁ステッチ１１４まで延びるポケット布２０２の対角縁もまた縫合することができるが、ポケットステッチ１１６と１２０との間には非縫合部が開いた状態に残され、かくして着用者が物を取り出しかつ収納するためのポケットが作成される。ポケットステッチ１１６〜１２０は、瓶、よだれかけ、手ぬぐい、おしゃぶり、ベビー服、授乳用具等を含め、授乳する母親のために様々な物を保持するために使用することのできる、ポケットの縁を提供する。さらに、授乳カバー２００の裏面または「内側」表面にポケット布２０２を使用して、ポケットステッチ１１６〜１２０によって境界を定められるポケットを配置することは、授乳する母親が上述したような物を取り出し、または収納することを可能にする。他の実施形態では、ポケット布２０２は異なる方法で実現することができ、図示する実施例に限定されない。
【００１３】
[0020]図２Ｂは別の例示的な授乳カバーの背面図を示す。ここで、同じくシート１０１、ストラップ１０２、Ｄ形リングストラップ１０４、上部頂縁ステッチ１０６、下部頂縁ステッチ１０８、左縁ステッチ１１０、右縁ステッチ１１２、底縁ステッチ１１４、およびポケットステッチ１１６〜１２０を含む授乳カバー２１０が示される。ストラップ１０２はさらに、側部ステッチ１２２〜１２４およびテーパ縁１２６を含む。Ｄ形リングストラップ１０４もまた側部ステッチ１２８〜１３０および１つまたはそれ以上のＤ形リング１３２を含む。ポケットステッチ１３６〜１３８ならびに上部頂縁ステッチ１０６および下部頂縁ステッチ１０８によって境界を定められる芯ポケット１３４も設けられる。代替的に、図２Ａに関連して図示しかつ上述したものとは異なるタイプのポケットをもたらすポケット布２１２およびポケットステッチ２１４〜２１８が示される。一部の実施例では、ポケット布２１２は、シート１０１と同一または異なるタイプの材料を用いて形成することができる。例えば、テリークロス材をポケット布２１２に使用することができ、それは着用者（すなわち授乳する母親）の露出した皮膚との摩耗を最小化する軟質素材をもたらす。他の実施例では、ポケットを形成するために、異なるタイプの材料をポケット布２１２に使用することができる。さらに、ポケット布２１２は、シート１０１の異なる領域または外側に配置することができる。例えば、ポケット布２１２はシート１０１の内側に、しかし左利きまたは右利きの母親に適応するように異なる隅に、配置することができる。さらに、異なるサイズのポケット布２１２をシート１０１に縫合し、種々の大きさの物品を保持するために、より小さいまたはより大きいサイズのポケットを設けることができる。一部の実施例では、ポケット布２１２は、着用者が授乳しながら物品を安全な位置に置くことを可能にする、留め金または他の品目を使用して閉じられる、安全なポケットを設けるように構成することができる。
【００１４】
[0021]ここで、ポケット２１２は、水平方向に構成され縦軸線１４０に直角な平面内に存する開口を持つポケットを提供する。ポケットステッチ２１４〜２１８によって境界を定められ、ポケット布２１２の頂縁を開いた状態に残され、図２Ａに関連して上述したような物を着用者が収容しかつ取り出すことを可能にするポケットが形成される。他の実施例では、異なるタイプのポケットを実現することができ、図示しかつ説明した実施例に限定されない。ポケット布２１２には多数の他の形状、大きさ、布タイプ、および位置を使用することができ、授乳カバー２１０は、図示しかつ上述したポケット例に限定されない。さらに、授乳カバー２１０および記載した要素は改変することができ、上述した実施例に限定されない。
【００１５】
[0022]図３は着用されたときの例示的な授乳カバーの代替的正面図を示す。ここで、シート１０１、ストラップ１０２、Ｄ形リングストラップ１０４、上部頂縁ステッチ１０６、下部頂縁ステッチ１０８、左縁ステッチ１１０、右縁ステッチ１１２、底縁ステッチ１１４、およびポケットステッチ１１６〜１２０を含む授乳カバー３００が示される。ストラップ１０２は、側部ステッチ１２２〜１２４およびテーパ縁１２６をさらに含む。Ｄ形リングストラップ１０４もまた側部ステッチ１２８〜１３０および１つまたはそれ以上のＤ形リング１３２を含む。ポケットステッチ１３６〜１３８ならびに上部頂縁ステッチ１０６および下部頂縁ステッチ１０８によって境界を定められる芯ポケット１３４も設けられる。一部の実施例では、ストラップ１０２は、結び目を用いて、またはストラップ部３０２で示すようにＤ形リング１３２の間にストラップ１０２を通すことによって、Ｄ形リングストラップ１０４に固定することができる。一部の実施例では、ストラップ１０２は、テーパ縁１２６またはストラップ１０２のいずれかに張力が加えられたときに固定されかつピンと張るＤ形リング１３２に通すことができる。ストラップ１０２は、肩幅が広いか狭い、もしくは首が太いか細い着用者に適応するように、または授乳カバー３００によって提供される所望の被覆範囲を補償するように、Ｄ形リング１３２を用いて長さを調整することができる。他の実施例では、授乳カバー３００は異なる方法で固定することができ、図示しかつ説明した実施例に限定されない。
【００１６】
[0023]着用されたときに、授乳カバー３００は、授乳する母親およびその子供のために、望ましくない人目に対する遮蔽および保護を提供する。ストラップ１０２は、Ｄ形リング１３２を用いてＤ形リングストラップ１０４に固定されたときに、下にいる授乳する子供の上に垂れ下がり、または覆いかぶさる。芯ポケット１３４内の芯は、授乳カバー３００を母親の首および胴体上部から遠ざかるように延ばし、乳児がその中で安定しかつ母親に見える状態を維持するポケットを提供する。さらに、母親は、授乳中に母親の腕の中に抱えられるか、おんぶ紐（例えばＢａｂｙ  Ｂｊｏｒｎ（登録商標））内に支持されるか、または人目、日光、天候、風、または乳児に悪影響を及ぼす他の環境因子からの保護を保証する他の方法で所定の位置に保持された、下にいる乳児を保護するための日除けとして授乳カバー３００を着用することもできる。
【００１７】
[0024]図４Ａは例示的芯を示す。ここで、縁４０４〜４０６を持つ芯４０２が示される。一部の実施例では、芯４０２は木材、竹、およびその他のような天然素材を用いて形成することができる。他の実施例では、芯４０２は、プラスチック、ナイロン、鋼、金属、複合材料（例えばテフロン（登録商標）、ケブラー（登録商標）およびその他）のような合成材料を用いて形成することができる。芯４０２に使用される材料は耐久性、軽量、防水性、または耐水性とすることができ、芯ポケット１３４（図１、図２Ａ〜２Ｂ、図３）内に配置されたときに水分の蓄積またはカビの発生を防止するように形成することができる。芯４０２は、ポケット１３４内に配置されたときに、授乳カバー１００（図１、図２Ａ〜２Ｂ、図３）の上縁を着用者から外向きに湾曲させるように使用される、湾曲または準半球形をもたらす任意の材料から形成することができる。一部の実施例では、湾曲の程度（すなわち曲率半径）は、所望の可視性の量に応じて、異なる着用者のために調整またはカスタマイズすることができる。換言すると、より大きい領域の可視性を希望する場合、芯４０２は、より大きい長さおよび曲率半径を用いて形成することができる。形成されるときに、芯４０２は静止位置で湾曲またはカーブ形状を維持する。さらに、形成されたカーブとは反対方向に芯４０２を湾曲またはカーブさせるように力が加えられる場合、芯４０２は破断することなく湾曲させることを可能にする材料から形成することができる。ここで、縁４０４〜４０６は芯４０２内の材料の個々の繊維またはより糸を露出させることがある。シート１０１と接触して配置されたときに（すなわちポケット１３４内に配置されたとき）、縁４０４〜４０６はシート１０１の布を摩耗させ、結果的にシート１０１の摩損または切傷を引き起こすだけでなく、芯４０２を所定の場所から滑出させるかもしれない。エンドキャップ（図４Ｂ〜４Ｃに関連して下でさらに詳述する）を芯４０２にかぶせることにより、摩耗および切傷を防止または最小限に止めることができ、結果的に、授乳カバー１００がその上縁に沿って着用者から遠ざかるように外向きに湾曲する能力が持続される。他の実施例では、芯４０２は、上述したものとは異なる性質および材料特性を持つ異なる材料から形成することができる。
【００１８】
[0025]図４Ｂは例示的なエンドキャップを示す。ここで、開口４１４およびポート４１６を持つエンドキャップ４１２が示される。一部の実施例では、芯４０２（図４Ａ）を開口４１４内に配置し、エンドキャップ４１２の反対側の内面と接触するまで挿し込むことができる。エンドキャップ４１２は縁４０４〜４０６の上にかぶせられ、授乳カバー１００のポケット１３４（図１）内に配置されたときに、シート１０１の損耗または切傷を防止する、非磨耗性の実質的に平滑な表面を提供することができる。さらに、エンドキャップ４１２は、縁４０４〜４０６がポケット１３４の損耗または切傷を生じることを防止し、かつ痛み、負傷、または両方の原因になる着用者の露出した皮膚表面内に縁４０４〜４０６が押し込まれることをも防止するために、使用することができる。さらに、エンドキャップ４１２は、芯４０２の粗雑な縁が子供の皮膚、目、または四肢に押し込まれるのを防止することによって、下で保護されている乳児の保護をも提供することができる。ポート４１６は、エンドキャップ４１２内を観察するための窓またはアパーチャを提供する。ポート４１６は、芯４０２がエンドキャップ４１２内に完全にまたは部分的に挿入されたかどうかを決定するために使用することができる。一部の実施例では、ポート４１６は、芯４０２の外縁が開口４１４の内面と接触することによってシールを提供する場合に、エンドキャップ４１２内の過度の圧力を緩和するためにも使用することができる。一部の実施例では、エンドキャップ４１２の形状は、シート１０１への摩耗、損耗、または切傷を防止するために、平滑な丸みを帯びた表面を提供するように形成される。他の実施例では、異なる形状および大きさをエンドキャップ４１２に使用することができ、上に示した実施例に限定されない。例えば丸みを帯びたまたは半球形の形状をエンドキャップ４１２に使用することができる。他の実施例では、ポケット１３４の内張りまたは内面に引掻傷、摩耗、損耗、または切傷をもたらさない、安全かつ実質的に平滑な表面を提供する、方形または略矩形の形状をエンドキャップ４１２に使用することができる。エンドキャップ４１２は、デザイン、形状、および寸法が異なるように実現することができる。他の実施例を使用することができ、図示しかつ説明した実施例に限定されない。
【００１９】
[0026]図４Ｃは例示的な芯およびエンドキャップを示す。ここで、芯４０２の断面が示され、エンドキャップ４１２が縁４０４にかぶせられる。一部の実施例では、芯４０２および縁４０４の粗面によって生じる摩耗、損耗、または切傷から布（すなわちシート１０１（図１））を保護するために、エンドキャップ４１２が縁４０４にかぶせられる。縁４０４は、芯４０２がより長い全長の材料から切り出されるときに形成することができる。ここで、芯４０２はエンドキャップ４１２内に挿入され、縁４０４がポート４１６内に見えるときに、完全に配置されている。一部の実施例では、縁４０４をエンドキャップ４１２内に完全に挿入し、シート１０１およびポケット１３４の布を摩耗、切傷、または損耗することのない、平滑な端部表面をもたらすことができる。他の実施例では、縁４０４をエンドキャップ４１２内に部分的に挿入することができ、挿入の程度は、ポート４１６を用いて芯４０２がエンドキャップ４１２内にどれだけ奥まで進んだかを観察することによって、制御することができる。他の実施例では、エンドキャップ４１２は、芯４０２の一部として形成することができ、かくして縁４０４が省略され、シート１０１の摩耗、損耗、または切傷を防止する平滑な一体的表面がもたらされる。さらに別の実施例では、エンドキャップ４１２を異なる方法で芯４０２全体または上に挿入することができ、図示しかつ説明した実施例に限定されない。
【００２０】
[0027]前述の実施例は明確な理解のために記載したものであるが、付属の特許請求の範囲内で特定の変化または改変を実施することができる。したがって、本発明の実施例は、制限としてではなく、例証とみなすべきであり、かつ本書に掲げた詳細に限定されず、付属の特許請求の範囲および均等物の範囲内で改変することができる。特許請求の範囲で、要素および／またはステップは、請求項に明示的に記載しない限り、特定の操作の順序を暗示するものではない。
【図面の簡単な説明】
【００２１】
【図１】例示的な授乳カバーの正面図を示す。
【図２Ａ】例示的な授乳カバーの背面図を示す。
【図２Ｂ】別の例示的な授乳カバーの背面図を示す。
【図３】例示的な授乳カバーの着用時の別の正面図を示す。
【図４Ａ】例示的な芯を示す。
【図４Ｂ】例示的なエンドキャップを示す。
【図４Ｃ】例示的な芯およびエンドキャップを示す。
【図１】
2009545679.tif 000003
【図２Ａ】
2009545679.tif 000004
【図２Ｂ】
2009545679.tif 000005
【図３】
2009545679.tif 000006
【図４Ａ】
2009545679.tif 000007
【図４Ｂ】
2009545679.tif 000008
【図４Ｃ】
2009545679.tif 000009
【国際調査報告】
2009545679.tif 000010